(57)【要約】【課題】極めて簡単な操作で無線通信装置のプログラム及び／又は設定データをバージョンアップ、更新又は変更することができる無線通信装置を提供する。【解決手段】無線通信装置１のＣＰＵ１０は、プログラム及び設定データのうちの少なくとも一方の更新用プログラム又は更新用設定データを格納するデータ更新デバイス２のプラグＰ１をジャックＪ１に接続し、電源スイッチ２０をオンしたときに、所定の確認信号をデータ更新デバイス２に送信する。データ更新デバイス２から受信される肯定応答信号を受信したとき、プログラム及び設定データのうちの少なくとも一方の更新を判断した後、送信指示信号をデータ更新デバイス２に送信する。データ更新デバイス２から更新用プログラム又は更新用設定データを受信した後、フラッシュメモリ１１に格納されたプログラム又は設定データを更新する。【選択図】図１
2015022672.tif 000002
【特許請求の範囲】
【請求項１】
プログラムと設定データとを格納し、電気的に書き換え可能な第１の記憶装置と、
電源スイッチと、
複数の電極を有する通信用第１のコネクタと、
所定の電源電圧を有する電圧源と、
無線通信装置の動作を制御する第１の制御手段とを備えた無線通信装置であって、
上記第１の制御手段は、
（１）上記プログラム及び上記設定データのうちの少なくとも一方の更新用プログラム又は更新用設定データを格納するデータ更新デバイスの通信用第２のコネクタを、上記通信用第１のコネクタに接続し、上記電源スイッチをオンしたときに、所定の確認信号を上記通信用第１のコネクタ及び上記通信用第２のコネクタを介して上記データ更新デバイスに送信し、
（２）これに応答して、上記データ更新デバイスから所定の肯定応答信号を受信したとき、上記プログラム及び上記設定データのうちの少なくとも一方の更新を判断した後、送信指示信号を上記データ更新デバイスに送信し、
（３）これに応答して、上記データ更新デバイスから更新用プログラム又は更新用設定データを受信した後、上記第１の記憶装置に格納されたプログラム又は設定データを更新することを特徴とする無線通信装置。
【請求項２】
上記第１の制御手段は、上記電源スイッチをオンしたときに、上記電圧源から上記電源電圧を上記通信用第１のコネクタ及び上記通信用第２のコネクタを介して上記データ更新デバイスに供給した後、上記確認信号を送信することを特徴とする請求項１記載の無線通信装置。
【請求項３】
上記通信用第１のコネクタは、スピーカ、イヤホン及びマイクロホンのうちの少なくとも１つの音声信号を伝送する電極を含むことを特徴とする請求項１又は２記載の無線通信装置。
【請求項４】
上記通信用第１のコネクタは、スピーカ、イヤホン及びマイクロホンのうちの少なくとも１つの音声信号を伝送する電極と、上記電圧源から上記電源電圧を供給する電極とを共用し、
上記第１の制御手段は、上記電源スイッチをオンしたときに、上記電圧源から上記電源電圧を供給する電極から上記音声信号を伝送する電極を切り離すことを特徴とする請求項１又は２記載の無線通信装置。
【請求項５】
上記第１の記憶装置は、所定のバージョンを有するプログラムを格納し、
上記肯定応答信号は、更新用プログラムのバージョンを含み、
上記第１の制御手段は、上記第１の記憶装置に格納されたプログラムのバージョンが上記更新用プログラムのバージョンよりも古いときに、プログラムの送信指示信号を上記データ更新デバイスに送信することを特徴とする請求項１〜４のうちのいずれか１つに記載の無線通信装置。
【請求項６】
上記第１の記憶装置は、所定の更新日時を有する設定データを格納し、
上記肯定応答信号は、更新用設定データの更新日時を含み、
上記第１の制御手段は、上記第１の記憶装置に格納された設定データの更新日時が上記更新用設定データの更新日時よりも古いときに、設定データの送信指示信号を上記データ更新デバイスに送信することを特徴とする請求項１〜４のうちのいずれか１つに記載の無線通信装置。
【請求項７】
上記第１の制御手段は、上記データ更新デバイスの認証のために、所定の認証コードを有する確認信号を上記データ更新デバイスに送信することを特徴とする請求項１〜６のうちのいずれか１つに記載の無線通信装置。
【請求項８】
請求項１〜７のうちのいずれか１つに記載の無線通信装置のためのデータ更新デバイスであって、
上記無線通信装置の通信用第１のコネクタに接続可能な複数の電極を有する通信用第２のコネクタと、
更新用プログラム又は更新用設定データとを格納する第２の記憶装置と、
上記データ更新デバイスの動作を制御する第２の制御手段とを備え、
上記第２の制御手段は、
（１）上記無線通信装置から確認信号を受信したとき、上記肯定応答信号を上記通信用第２のコネクタ及び上記通信用第１のコネクタを介して上記無線通信装置に送信し、
（２）これに応答して、上記無線通信装置から送信指示信号に受信したとき、上記第２の記憶装置に格納された更新用プログラム又は更新用設定データを上記無線通信装置に送信することを特徴とするデータ更新デバイス。
【発明の詳細な説明】
【技術分野】
【０００１】
本発明は、例えばデジタル消防救急受令機、トランシーバーなどの無線通信装置と、そのプログラム及び／又は設定データをバージョンアップ、更新又は変更するためのデータ更新デバイスとに関する。
【背景技術】
【０００２】
消防救急無線システムの基地局と移動局との間の無線通信を受信するためのデジタル消防救急受令機が開発実用化されている（例えば、非特許文献１、特許文献１及び２参照）。非特許文献１に開示されたデジタル消防救急受令機では、「チャンネルバンク」方式を採用して割り当てチャンネルや送信機ＩＤとユーザとの関係データを自在に登録することができ、液晶表示部でも、送信者のユーザ名称を表示するとともに、着信を報知する一斉受信機能（音声、ショートメッセージ）を有することを特徴としている。ここで、送信機ＩＤとユーザとの関係データ（例えばユーザ設定データなどの設定データ）は例えば以下の通りである。
【０００３】
［表１］
―――――――――――――――――
ユーザ名          送信機ＩＤ
―――――――――――――――――
消防本部          SA001
消防自動車１      SB001
消防自動車２      SB002
消防自動車３      SB003
救急自動車１      SC001
救急自動車２      SC002
―――――――――――――――――
【先行技術文献】
【特許文献】
【０００４】
【特許文献１】特開平１０−１４５８３０号公報
【特許文献２】特開平１１−２５２６０３号公報
【非特許文献】
【０００５】
【非特許文献１】アルインコ株式会社、「デジタル消防救急受令機」、［online］、２０１３年４月１１日、［平成２５年７月１６日検索］、インターネット＜ＵＲＬ：http://www.alinco.co.jp/product/prod_item.html?itemId=I20130411001＞
【発明の概要】
【発明が解決しようとする課題】
【０００６】
しかしながら、デジタル消防救急受令機を出荷して全国各地の消防団の車に設置した後で、プログラムのバグを解消し、もしくは機能追加のためにバージョンアップが必要になる場合がしばしば発生する。この場合において、製造会社や販売会社などの技術者は、ノートパーソナルコンピュータに新しいプログラムを格納して現場へ行き、ノートパーソナルコンピュータとデジタル消防救急受令機とを接続してバージョンアップの作業を行う必要があった。
【０００７】
デジタル消防救急受令機を取り扱うユーザは消防団の人達であって、パーソナルコンピュータの操作が不慣れであるため、パーソナルコンピュータを使ったバージョンアップを現地でユーザにやってもらうことは不可能である。ここで、プログラムのバグの場合、製造会社のミスなので、製造会社が行う必要がある。この場合において、全国各地に配備されたデジタル消防救急受令機について一台一台改修して回るには、莫大な費用と時間がかかるという問題点があった。
【０００８】
本発明の目的は以上の問題点を解決し、従来技術に比較して極めて簡単な操作で、例えばデジタル消防救急受令機、トランシーバーなどの無線通信装置のプログラム及び／又は設定データをバージョンアップ、更新又は変更することができる無線通信装置、及びそのためのデータ更新デバイスを提供することにある。
【課題を解決するための手段】
【０００９】
第１の発明に係る無線通信装置は、
プログラムと設定データとを格納し、電気的に書き換え可能な第１の記憶装置と、
電源スイッチと、
複数の電極を有する通信用第１のコネクタと、
所定の電源電圧を有する電圧源と、
無線通信装置の動作を制御する第１の制御手段とを備えた無線通信装置であって、
上記第１の制御手段は、
（１）上記プログラム及び上記設定データのうちの少なくとも一方の更新用プログラム又は更新用設定データを格納するデータ更新デバイスの通信用第２のコネクタを、上記通信用第１のコネクタに接続し、上記電源スイッチをオンしたときに、所定の確認信号を上記通信用第１のコネクタ及び上記通信用第２のコネクタを介して上記データ更新デバイスに送信し、
（２）これに応答して、上記データ更新デバイスから所定の肯定応答信号を受信したとき、上記プログラム及び上記設定データのうちの少なくとも一方の更新を判断した後、送信指示信号を上記データ更新デバイスに送信し、
（３）これに応答して、上記データ更新デバイスから更新用プログラム又は更新用設定データを受信した後、上記第１の記憶装置に格納されたプログラム又は設定データを更新することを特徴とする。
【００１０】
上記無線通信装置において、上記第１の制御手段は、上記電源スイッチをオンしたときに、上記電圧源から上記電源電圧を上記通信用第１のコネクタ及び上記通信用第２のコネクタを介して上記データ更新デバイスに供給した後、上記確認信号を送信することを特徴とする。
【００１１】
また、上記無線通信装置において、上記通信用第１のコネクタは、スピーカ、イヤホン及びマイクロホンのうちの少なくとも１つの音声信号を伝送する電極を含むことを特徴とする。
【００１２】
さらに、上記無線通信装置において、上記通信用第１のコネクタは、スピーカ、イヤホン及びマイクロホンのうちの少なくとも１つの音声信号を伝送する電極と、上記電圧源から上記電源電圧を供給する電極とを共用し、
上記第１の制御手段は、上記電源スイッチをオンしたときに、上記電圧源から上記電源電圧を供給する電極から上記音声信号を伝送する電極を切り離すことを特徴とする。
【００１３】
またさらに、上記無線通信装置において、上記第１の記憶装置は、所定のバージョンを有するプログラムを格納し、
上記肯定応答信号は、更新用プログラムのバージョンを含み、
上記第１の制御手段は、上記第１の記憶装置に格納されたプログラムのバージョンが上記更新用プログラムのバージョンよりも古いときに、プログラムの送信指示信号を上記データ更新デバイスに送信することを特徴とする。
【００１４】
また、上記無線通信装置において、上記第１の記憶装置は、所定の更新日時を有する設定データを格納し、
上記肯定応答信号は、更新用設定データの更新日時を含み、
上記第１の制御手段は、上記第１の記憶装置に格納された設定データの更新日時が上記更新用設定データの更新日時よりも古いときに、設定データの送信指示信号を上記データ更新デバイスに送信することを特徴とする。
【００１５】
さらに、上記無線通信装置において、上記第１の制御手段は、上記データ更新デバイスの認証のために、所定の認証コードを有する確認信号を上記データ更新デバイスに送信することを特徴とする。
【００１６】
第２の発明に係るデータ更新デバイスは、上記無線通信装置のためのデータ更新デバイスであって、
上記無線通信装置の通信用第１のコネクタに接続可能な複数の電極を有する通信用第２のコネクタと、
更新用プログラム又は更新用設定データとを格納する第２の記憶装置と、
上記データ更新デバイスの動作を制御する第２の制御手段とを備え、
上記第２の制御手段は、
（１）上記無線通信装置から確認信号を受信したとき、上記肯定応答信号を上記通信用第２のコネクタ及び上記通信用第１のコネクタを介して上記無線通信装置に送信し、
（２）これに応答して、上記無線通信装置から送信指示信号に受信したとき、上記第２の記憶装置に格納された更新用プログラム又は更新用設定データを上記無線通信装置に送信することを特徴とする。
【発明の効果】
【００１７】
本発明に係る無線通信装置及びデータ更新デバイスによれば、パーソナルコンピュータを使わず、誰でも簡単に間違いなく、プログラム及び／又は設定データをバージョンアップ、更新又は変更することができる。この方法であれば、パーソナルコンピュータの知識のない一般ユーザでもできるので製造会社などが改修に行かなくてもデータ更新デバイスを郵送するだけでユーザが行うことができる。これにより、莫大な費用と時間を節約できるという多大のメリットがある。
【図面の簡単な説明】
【００１８】
【図１】本発明の一実施形態にかかる無線通信装置１及びデータ更新デバイス２の構成を示すブロック図である。
【図２】図１のデータ更新デバイス２から無線通信装置１に対して送信される肯定応答信号のデータフォーマットを示す図である。
【図３】図１の無線通信装置１のＣＰＵ１０により実行されるデータ更新処理を示すフローチャートである。
【図４】図１の無線通信装置１の第１の実施例にかかる車載用デジタル消防救急受令機の正面図である。
【図５】図１の無線通信装置１の第２の実施例にかかる携帯用デジタル消防救急受令機の正面図である。
【発明を実施するための形態】
【００１９】
以下、本発明に係る実施形態について図面を参照して説明する。なお、以下の各実施形態において、同様の構成要素については同一の符号を付している。
【００２０】
図１は本発明の一実施形態にかかる無線通信装置１及びデータ更新デバイス２の構成を示すブロック図である。図１において、無線通信装置１は、ＣＰＵ１０と、フラッシュメモリ１１と、データインターフェース１２と、表示部インターフェース１３と、表示部１４と、低周波増幅器１５と、操作部１６と、電源スイッチ２０と、アンテナ２１と、デュプレクサ２２と、無線受信回路２３と、デコーダ２４と、エンコーダ２５と、無線送信回路２６と、スイッチＳＷ１，ＳＷ２と、抵抗Ｒ１と、電極３１〜３４を有する通信用ジャックＪ１とを備えて構成される。また、データ更新デバイス２は、ＩＣチップ及び４極プラグを内蔵し本体サイズが例えば１５ｍｍ×４０ｍｍ×５ｍｍ程度のチップデバイスであって、ＣＰＵ５０と、フラッシュメモリ５１と、データインターフェース５２と、抵抗Ｒ２と、電解コンデンサＣ１と、電極４１〜４４を有するプラグＰ１とを備えて構成される。
【００２１】
なお、表示部１４は、受信信号レベル、現在時刻、受信された送信機ＩＤに対応するユーザ名称、使用チャンネルなどを表示する（図４、図５参照）例えば液晶ディスプレイであって、操作部１６は、バンド切り替え、機能切り替え、チャンネル切り替えなどの操作部（図４、図５参照）を含む。さらに、データインターフェース１２とデータインターフェース５２とは互いに対向してデータ通信を行うことにより、所定の制御信号（確認信号、肯定応答信号、プログラム送信指示信号、設定データ送信指示信号など）並びにプログラム又は設定データのデータを送受信する。
【００２２】
図１の無線通信装置１において、ＣＰＵ１０は、電源スイッチ２０及び操作部１６からの指示データに基づいて、フラッシュメモリ１１内のプログラム（無線送受信処理のプログラム（例えばバージョン番号などのバージョンを含む）、及び図３のデータ更新処理のプログラム（更新日時を含む）など）を実行することにより各部を制御する。フラッシュメモリ１１は、無線送受信処理のプログラム（ファームウエア）、及び図３のデータ更新処理のプログラムなどの動作プログラムに加えて、例えば表１に示す送信機ＩＤとユーザとの関係データなどの例えばテーブル形式の設定データを格納する。ＣＰＵ１０は、電源スイッチ２０がオンされたとき、図３を参照して詳細後述するように、データ更新デバイス２がジャックＪ１に接続されていないときは所定の無線送受信処理のプログラムを実行する一方、データ更新デバイス２のプラグＰ１がジャックＪ１に接続されていてプログラムのバージョンアップ又は設定データの変更を行うときは図３のデータ更新処理（Ｓ４Ａ〜Ｓ１２）を実行する。
【００２３】
無線送受信処理のプログラムを実行するとき、アンテナ２１で受信された無線信号はデュプレクサ２２を介して無線受信回路２３に入力され、無線受信回路２３は受信された無線信号に対して、低雑音増幅、周波数変換、復調などの受信処理を行って、復調後のベースバンド信号をデコーダ２４に出力する。デコーダ２４は入力されるベースバンド信号を所定のフォーマットのデジタルデータに変換してＣＰＵ１０に出力する。デジタルデータが音声データのときは、Ａ／Ｄ変換した後、低周波増幅器１５、スイッチＳＷ２及びジャックＪ１の電極３１を介して、ジャックＪ１に接続されたスピーカマイクロホン（図示せず）のスピーカ部（又はイヤホン、ヘッドホン）、もしくは内蔵のスピーカ（図示せず）に出力する。また、デジタルデータが例えば表１の送信機ＩＤのときは、フラッシュメモリ１１内の設定データを参照してユーザ名称を読み出して、表示部インターフェース１３を介して表示部１４に表示する。さらに、無線送受信処理の送信時は、ジャックＪ１に接続されたスピーカマイクロホン（図示せず）のマイクロホン部、もしくは内蔵のマイクロホン（図示せず）からの音声信号がジャックＪ１の電極３３を介してエンコーダ２５に入力され、Ａ／Ｄ変換及び符号化されてデジタルデータに変換された後、無線送信回路２６に入力される。無線送信回路２６は入力されるデジタルデータに従って搬送波を所定のデジタル変調方式で変調しかつ電力増幅した後、デュプレクサ２２及びアンテナ２１を介して送信される。
【００２４】
図１の無線通信装置１では、無線送信回路２６及びエンコーダ２５を備えているが、本発明はこれに限らず、デジタル消防救急受令機など受信機能のみを備えるときは備えなくてもよい。
【００２５】
図１のデータ更新デバイス２において、プラグＰ１はジャックＪ１に接続可能であって、プラグＰ１がジャックＪ１に挿入接続されたとき、プラグＰ１の電極４１〜４４がそれぞれジャックＪ１の電極３１〜３４に接続される。このとき、電源電圧ＶＤＤ（例えば３Ｖ）がスイッチＳＷ１、抵抗Ｒ１、ジャックＪ１の電極３１、プラグＰ１の電極４１、抵抗Ｒ２を介して電解コンデンサＣ１に充電された後、ＣＰＵ５０、フラッシュメモリ５１及びデータインターフェース５２に電源供給される。このとき、ＣＰＵ５０は起動して無線通信装置１からデータインターフェース５２を介して認証コードを含む確認信号を受信したとき、認証コードが自己が保有する認証コード（例えばフラッシュメモリ５１に格納される）と一致しているとき、図２及び表２に示すデータフォーマットを有する肯定応答信号をデータインターフェース５２を介して無線通信装置１に送信する。次いで、ＣＰＵ５０は、無線通信装置１からプログラム送信指示信号を受信したとき、フラッシュメモリ５１内のバージョンアップ後のプログラムデータを無線通信装置１に送信し、無線通信装置１から設定データ送信指示信号を受信したとき、フラッシュメモリ５１内の設定データを無線通信装置１に送信する。
【００２６】
［表２］
肯定応答信号のデータフォーマット
――――――――――――――――――――――――――――――――――――
（１０１）プログラムのバージョンアップ、もしくは、設定データの更新の別
（１０２）プログラムのバージョン（バージョンアップ時）
（１０３）設定データの更新日時（更新時）
――――――――――――――――――――――――――――――――――――
【００２７】
図３は図１の無線通信装置１のＣＰＵ１０により実行されるデータ更新処理を示すフローチャートである。
【００２８】
図３において、まず、ステップＳ１において、電源スイッチ２０がオンされたか否かが判断され、ＹＥＳのときはステップＳ２に進む一方、ＮＯのときはステップＳ１に戻る。ステップＳ２において、スイッチＳＷ１をオンし、スイッチＳＷ２をオフし、所定の認証コード（データ更新デバイス２に格納されている認証コードと同じ認証コード）を含む確認信号をデータ更新デバイス２に送信する。ここで、スイッチＳＷ１をオンすることにより、無線通信装置１の電圧源から３Ｖの電源電圧ＶＤＤをデータ更新デバイス２に供給する。また、スイッチＳＷ２をオフすることにより、低周波増幅器１５をジャックＪ１の電極３１から切り離す。すなわち、電極３１では電源電圧ＶＤＤの供給と音声信号の伝送とを共用しているが、電源電圧ＶＤＤを供給する電極３１から、スピーカ又はイヤホンのための音声信号を伝送する低周波増幅器１５の電極を切り離す。そして、ステップＳ３において、データ更新デバイス２から肯定応答信号を所定時間（例えば３秒）以内に受信したか否かが判断され、ＹＥＳのときはステップＳ４Ａに進む一方、ＮＯのときはステップＳ１３に進む。ステップＳ１３では、データ更新処理を行わず、通常の送受信処理のために、スイッチＳＷ１をオフし、スイッチＳＷ２をオンして当該データ更新処理を終了する。これにより、無線通信装置１からデータ更新デバイス２への電源電圧ＶＤＤの供給を停止し、低周波増幅器１５をジャックＪ１の電極３１に接続して受信音声出力を可能にする。
【００２９】
ステップＳ４Ａでは、受信された肯定応答信号（図２）に基づいてプログラムのバージョンアップか否かが判断される。肯定応答信号がプログラムのバージョンアップを示すものであり、かつ肯定応答信号が示すプログラムのバージョンがフラッシュメモリ１１で格納する現在のプログラムのバージョンよりも新しいときは、プログラムのバージョンアップをすべきと判断し、ステップＳ５に進み、それ以外はステップＳ４Ｂに進む。これにより、新しいプログラムが古いプログラムにより更新されることを防止できる。ステップＳ５においてプログラム送信指示信号をデータ更新デバイス２に送信し、ステップＳ６でバージョンアップされたプログラムのデータを、データ更新デバイス２のフラッシュメモリ５１からＣＰＵ５０、データインターフェース５２、プラグＰ１、ジャックＪ１及びデータインターフェース１２を介してＣＰＵ１０に受信してフラッシュメモリ１１に格納して更新する。ステップＳ７では、プログラムのデータの読み込みが完了したか否かが判断され、ＹＥＳのときはステップＳ１１に進む一方、ＮＯのときはステップＳ６に戻る。
【００３０】
ステップＳ４Ｂでは、受信された肯定応答信号（図２）に基づいて設定データの更新か否かが判断される。肯定応答信号が設定データの更新を示すものであり、かつ肯定応答信号が示す設定データの更新日時がフラッシュメモリ１１で格納する現在の設定データの更新日時よりも新しいときは、設定データの更新をすべきと判断し、ステップＳ８に進み、それ以外はステップＳ１３に進む。これにより、新しい設定データが古い設定データにより更新されることを防止できる。ステップＳ８において設定データ送信指示信号をデータ更新デバイス２に送信し、ステップＳ９で更新後の設定データを、データ更新デバイス２のフラッシュメモリ５１からＣＰＵ５０、データインターフェース５２、プラグＰ１、ジャックＪ１及びデータインターフェース１２を介してＣＰＵ１０に受信してフラッシュメモリ１１に格納して更新する。ステップＳ１０では、設定データの読み込みが完了したか否かが判断され、ＹＥＳのときはステップＳ１１に進む一方、ＮＯのときはステップＳ９に戻る。
【００３１】
ステップＳ１１において、「電源オフし、データ更新デバイスをジャックから抜いて下さい」と表示部１４に表示し、ステップＳ１２において電源スイッチ２０がオフされたか否かが判断され、ＹＥＳのときは当該データ更新処理を終了する一方、ＮＯのときはステップＳ１２に戻る。
【００３２】
以上の実施形態においては、送受信機能を有する無線通信装置１について説明しているが、本発明はこれに限らず、デジタル消防救急受令機などの無線受信装置であってもよい。
【００３３】
図４は図１の無線通信装置１の第１の実施例にかかる車載用デジタル消防救急受令機の正面図である。図４に示すように、車載用デジタル消防救急受令機の前面パネルには、表示部１４と、操作部１６と、電源スイッチ２０と、ジャックＪ１とが配置されている。ジャックＪ１が前面パネルに配置されているので、一般ユーザでもジャックＪ１を容易に発見して、データ更新デバイス２のプラグＰ１をジャックＪ１に容易に挿入することができる。
【００３４】
図５は図１の無線通信装置１の第２の実施例にかかる携帯用デジタル消防救急受令機の正面図である。図５において、携帯用デジタル消防救急受令機の前面パネルには、スピーカ１７と、表示部１４と、操作部１６とが配置されている。また、その上部には、電源スイッチ２０付きボリューム１８と、チャンネル切り替えスイッチ１９と、アンテナ２１と、ジャックＪ１とが配置されている。ジャックＪ１が装置上部に配置されているので、一般ユーザでもジャックＪ１を容易に発見して、データ更新デバイス２のプラグＰ１をジャックＪ１に容易に挿入することができる。
【００３５】
以上説明したように本実施形態によれば、従来の方法なら、もしプログラムのバグが発生したら日本全国各地に配備された例えばデジタル消防救急受令機などの無線通信装置の設置場所にメーカの技術者が行って、バージョンアップなどの処理を行う必要があり、消防団などのユーザとの時間合わせも非常に困難となる。従って、巨額の費用と時間のロスが発生していた。本実施形態に係るデータ更新デバイス２を使うと、当該データ更新デバイス２を郵送して使い終わったら例えば廃棄してもらうことができる。また、プログラムのバージョンアップ等もデータ更新デバイス２のプラグを無線通信装置１のジャックＪ１に差し込んで電源スイッチ２０をオンするだけなのでわざわざ、メーカの技術者が行かなくてもユーザにバージョンアップ等をお願いすることができ、発生する巨額のロスを防止することができる。
【００３６】
また、認証コードを用いて無線通信装置１とデータ更新デバイス２との間の認証を行っているので、誤って更新することを防止、また、セキュリティを強化することができる。
【００３７】
以上の本実施形態においては、フラッシュメモリ１１，５１を用いているが、本発明はこれに限らず、フラッシュメモリ以外のＥＥＰＲＯＭなどの電気的に書き換え可能な記憶装置（メモリ）を用いてもよい。ここで、好ましくは、電気的に書き換え可能な不揮発性記憶装置（メモリ）を用いる。
【００３８】
以上の実施形態においては、プラグＰ１をジャックＪ１に挿入接続しているが、これらプラグＰ１及びジャックＪ１は通信用コネクタ又は通信用端子であって、本発明はこれに限らず、通信用コネクタ又は通信用端子を用いてもよい。
【００３９】
以上の実施形態においては、４極プラグＰ１を用いているが、本発明はこれに限らず、必要な複数の極数のプラグを用いてもよい。
【００４０】
以上の実施形態においては、プログラムのバージョンの確認を肯定応答信号に含まれるバージョンで行っているが、本発明はこれに限らず、ステップＳ６で更新用プログラムを受信したときにそのバージョンを確認して更新するか否かを判断してもよい。
【００４１】
以上の実施形態においては、設定データの更新日時の確認を肯定応答信号に含まれる更新日時で行っているが、本発明はこれに限らず、ステップＳ９で更新用設定データを受信したときにその更新日時を確認して更新するか否かを判断してもよい。
【産業上の利用可能性】
【００４２】
以上詳述したように、本発明に係る無線通信装置及びデータ更新デバイスによれば、パーソナルコンピュータを使わず、誰でも簡単に間違いなく、プログラム及び／又は設定データをバージョンアップ、更新又は変更することができる。この方法であれば、パーソナルコンピュータの知識のない一般ユーザでもできるので製造会社などが改修に行かなくてもデータ更新デバイスを郵送するだけでユーザが行うことができる。これにより、莫大な費用と時間を節約できるという多大のメリットがある。
【符号の説明】
【００４３】
１…無線通信装置、
２…データ更新デバイス、
１０…ＣＰＵ、
１１…フラッシュメモリ、
１２，１３…インターフェース、
１４…表示部、
１５…低周波増幅器、
１６…操作部、
１７…スピーカ、
１８…電源スイッチ付きボリューム、
２０…電源スイッチ、
２１…アンテナ、
２２…デュプレクサ、
２３…無線受信回路、
２４…デコーダ、
２５…エンコーダ、
２６…無線送信回路、
３１〜３４，４１〜４４…電極、
５０…ＣＰＵ、
５１…フラッシュメモリ、
５２…インターフェース、
Ｃ１…電解コンデンサ、
Ｊ１…ジャック、
Ｐ１…プラグ、
Ｒ１，Ｒ２…抵抗、
ＳＷ１，ＳＷ２…スイッチ。
【図１】
2015022672.tif 000003
【図２】
2015022672.tif 000004
【図３】
2015022672.tif 000005
【図４】
2015022672.tif 000006
【図５】
2015022672.tif 000007